(57)【特許請求の範囲】
【請求項１】
第１の無線リソースと第２の無線リソースを含んでいる無線通信デバイスにおいて複数の無線リソースを構成するための方法であって、前記方法は、
前記無線通信デバイスにおいて、第１の通信システムタイプに応じて、空間多重化のために、前記第１の無線リソースと前記第２の無線リソースを構成することであって、前記第１の通信システムタイプは、ＭＩＭＯオペレーションに適した無線ネットワークを備える、構成することと、
前記無線通信デバイスにおいて、第２の通信システムタイプにわたる通信のために、リクエストを受信することであって、前記第２の通信システムタイプは、ＳＩＳＯオペレーションに適した無線ネットワークを備える、受信することと、
前記無線通信デバイスにおいて、前記第１の無線リソースを、前記第１の通信システムタイプにわたる通信のために維持しながら、前記第２の無線リソースを、前記第１の通信システムタイプに応じた構成から、前記第２の通信システムタイプにわたる通信のための構成へと再構成することと、
を備えている、
方法。
【請求項２】
前記第２の通信システムにわたる第２の通信リンクを確立しながら、前記第１の通信システムにわたる第１の通信リンクを維持すること、
をさらに備えている請求項１に記載の方法。
【請求項３】
前記無線通信デバイスにおいて、前記第１の通信システムタイプに応じて、非空間多重化のために、前記第１の無線リソースを再構成すること、
をさらに備えている請求項１に記載の方法。
【請求項４】
前記無線通信デバイスにおいて、前記第１の通信システムタイプに応じて、空間多重化のために、前記第１の無線リソースと第３の無線リソースとを再構成すること、
をさらに備えている、請求項１に記載の方法。
【請求項５】
前記第２の通信システムタイプにわたる通信リンクを終了することと、
前記無線通信デバイスにおいて、前記第１の通信システムタイプに応じて、空間多重化のために、前記第１の無線リソースと前記第２の無線リソースを再構成することと、
をさらに備えている請求項１に記載の方法。
【請求項６】
前記第２の通信システムタイプにわたる通信リンクの終了を検出することと、
前記無線通信デバイスにおいて、前記第１の通信システムタイプに応じて、空間多重化のために、前記第１の無線リソースと前記第２の無線リソースを再構成することと、
をさらに備えている請求項１に記載の方法。
【請求項７】
前記第１の通信システムタイプは、無線ローカルエリアネットワークであり、前記第２の通信システムタイプは、無線パーソナルエリアネットワークである、請求項１に記載の方法。
【請求項８】
前記第１の通信システムタイプは、無線広域ネットワークであり、前記第２の通信システムタイプは、無線パーソナルエリアネットワークである、請求項１に記載の方法。
【請求項９】
前記第１の通信システムタイプは、前記第１の通信システムへのアクセスを制御する第１のアクセスポイントを含んでおり、前記第２の通信システムタイプは、アドホックネットワークである、請求項１に記載の方法。
【請求項１０】
前記第１の通信システムタイプと前記第２の通信システムタイプは、同じ物理チャネルを使用する、請求項１に記載の方法。
【請求項１１】
前記第１の通信システムタイプと前記第２の通信システムタイプは、異なる物理チャネルを使用する、請求項１に記載の方法。
【請求項１２】
前記無線リソースは、アンテナ、ＰＡ、ＬＮＡ、フィルタ、スイッチ、ＲＦチェイン、ＡＤＣ、ＤＡＣ、ＦＦＴ／ＩＦＦＴ、ＱＡＭマッパー、インタリーバ／デインタリーバ、エンコーダ／デコーダ、スクランブラ／デスクランブラ、ＦＣＳエンジン、暗号化エンジン及びキーストア、パケットメモリストレージ、及びホストインタフェース、のうちの少なくとも１つである、請求項１に記載の方法。
【請求項１３】
無線通信デバイスであって、
コントローラと；
第１の無線リソースと第２の無線リソースを含んでいる複数の無線リソースと、なお、前記第１の無線リソースと前記第２の無線リソースのそれぞれは、前記コントローラに接続されている；
を備え、
前記コントローラは、
第１の通信システムタイプに応じて、空間多重化のために、前記第１の無線リソースと前記第２の無線リソースを構成するように、なお、前記第１の通信システムタイプは、ＭＩＭＯオペレーションに適した無線ネットワークを備える、
第２の通信システムタイプにわたる通信のために、リクエストを受信するように、なお、前記第２の通信システムタイプは、ＳＩＳＯオペレーションに適した無線ネットワークを備える、
前記第１の無線リソースを、前記第１の通信システムタイプにわたる通信のために維持しながら、前記第２の無線リソースを、前記第１の通信システムタイプに応じた構成から、前記第２の通信システムタイプにわたる通信のための構成へと再構成するように、
構成されている、
デバイス。
【請求項１４】
前記コントローラは、
前記第２の通信システムにわたる第２の通信リンクを確立しながら、前記第１の通信システムにわたる第１の通信リンクを維持するように、
さらに構成されている、請求項１３に記載のデバイス。
【請求項１５】
前記コントローラは、前記第１の通信システムタイプに応じて、非空間多重化のために、前記第１の無線リソースを再構成するように、
さらに構成されている、請求項１３に記載のデバイス。
【請求項１６】
前記コントローラは、前記第１の通信システムタイプに応じて、空間多重化のために、前記第１の無線リソースと第３の無線リソースとを再構成するように、
さらに構成されている、請求項１３に記載のデバイス。
【請求項１７】
前記コントローラは、
前記第２の通信システムタイプにわたる通信リンクを終了するように、
前記第１の通信システムタイプに応じて、空間多重化のために、前記第１の無線リソースと前記第２の無線リソースを再構成するように、
さらに構成されている、請求項１３に記載のデバイス。
【請求項１８】
前記コントローラは、
前記第２の通信システムタイプにわたる通信リンクの終了を検出するように、
前記第１の通信システムタイプに応じて、空間多重化のために、前記第１の無線リソースと前記第２の無線リソースを再構成するように、
さらに構成されている、請求項１３に記載のデバイス。
【請求項１９】
前記第１の通信システムタイプは、無線ローカルエリアネットワークであり、前記第２の通信システムタイプは、無線パーソナルエリアネットワークである、請求項１３に記載のデバイス。
【請求項２０】
前記第１の通信システムタイプは、無線広域ネットワークであり、前記第２の通信システムタイプは、無線パーソナルエリアネットワークである、請求項１３に記載のデバイス。
【請求項２１】
前記第１の通信システムタイプは、前記第１の通信システムへのアクセスを制御している第１のアクセスポイントを含み、前記第２の通信システムタイプは、アドホックネットワークである、請求項１３に記載のデバイス。
【請求項２２】
前記第１の通信システムタイプと前記第２の通信システムタイプは、同じ物理チャネルを使用する、請求項１３に記載のデバイス。
【請求項２３】
前記第１の通信システムタイプと前記第２の通信システムタイプは、異なる物理チャネルを使用する、請求項１３に記載のデバイス。
【請求項２４】
前記無線リソースは、アンテナ、ＰＡ、ＬＮＡ、フィルタ、スイッチ、ＲＦチェイン、ＡＤＣ、ＤＡＣ、ＦＦＴ／ＩＦＦＴ、ＱＡＭマッパー、インタリーバ／デインタリーバ、エンコーダ／デコーダ、スクランブラ／デスクランブラ、ＦＣＳエンジン、暗号化エンジン及びキーストア、パケットメモリストレージ、及びホストインタフェース、のうちの少なくとも１つである、請求項１３に記載のデバイス。
【請求項２５】
第１の無線リソースと第２の無線リソースを含んでいる無線通信デバイスにおいて複数の無線リソースを構成するためのコンピュータプログラムであって、
コンピュータに、第１の通信システムタイプに応じて、空間多重化のために、前記第１の無線リソースと前記第２の無線リソースを構成させるためのコードであって、前記第１の通信システムタイプは、ＭＩＭＯオペレーションに適した無線ネットワークを備える、構成させるためのコードと、
前記コンピュータに、第２の通信システムタイプにわたる通信のために、リクエストを受信させるためのコードであって、前記第２の通信システムタイプは、ＳＩＳＯオペレーションに適した無線ネットワークを備える、受信させるためのコードと、
前記コンピュータに、前記第１の無線リソースを、前記第１の通信システムタイプにわたる通信のために維持しながら、前記第２の無線リソースを、前記第１の通信システムタイプに応じた構成から、前記第２の通信システムタイプにわたる通信のための構成へと再構成させるためのコードと、
を備える、
コンピュータプログラム。
【請求項２６】
前記コンピュータプログラムは、
前記コンピュータに、前記第２の通信システムにわたる第２の通信リンクを確立しながら、前記第１の通信システムにわたる第１の通信リンクを維持させるためのコード、
をさらに備える、
請求項２５に記載のコンピュータプログラム。
【請求項２７】
前記コンピュータプログラムは、
前記コンピュータに、前記第１の通信システムタイプに応じて、非空間多重化のために、前記第１の無線リソースを再構成させるためのコード、
をさらに備える、
請求項２５に記載のコンピュータプログラム。
【請求項２８】
前記コンピュータプログラムは、
前記コンピュータに、前記第１の通信システムタイプに応じて、空間多重化のために、前記第１の無線リソースと第３の無線リソースとを再構成させるためのコード、
をさらに備える、
請求項２５に記載のコンピュータプログラム。
【請求項２９】
前記コンピュータプログラムは、
前記コンピュータに、前記第２の通信システムタイプにわたる通信リンクを終了させるためのコードと、
前記コンピュータに、前記第１の通信システムタイプに応じて、空間多重化のために、前記第１の無線リソースと前記第２の無線リソースを再構成させるためのコードと、
をさらに備える、
請求項２５に記載のコンピュータプログラム。
【請求項３０】
前記コンピュータプログラムは、
前記コンピュータに、前記第２の通信システムタイプにわたる通信リンクの終了を検出させるためのコードと、
前記コンピュータに、前記第１の通信システムタイプに応じて、空間多重化のために、前記第１の無線リソースと前記第２の無線リソースを再構成させるためのコードと、
をさらに備える、
請求項２５に記載のコンピュータプログラム。
【請求項３１】
コントローラと；
第１の無線リソースと第２の無線リソースを含んでいる複数の無線リソースと、なお、前記第１の無線リソースと前記第２の無線リソースのそれぞれは、前記コントローラに接続されている；
第１の通信システムタイプに応じて、空間多重化のために、前記第１の無線リソースと前記第２の無線リソースを構成するための手段であって、前記第１の通信システムタイプは、ＭＩＭＯオペレーションに適した無線ネットワークを備える、構成するための手段と；
第２の通信システムタイプにわたる通信のために、リクエストを受信するための手段であって、前記第２の通信システムタイプは、ＳＩＳＯオペレーションに適した無線ネットワークを備える、受信するための手段と；
前記第１の無線リソースを、前記第１の通信システムタイプにわたる通信のために維持しながら、前記第２の無線リソースを、前記第１の通信システムタイプに応じた構成から、前記第２の通信システムタイプにわたる通信のための構成へと再構成するための手段と；
を備えている無線通信デバイス。
【請求項３２】
前記第２の通信システムにわたる第２の通信リンクを確立しながら、前記第１の通信システムにわたる第１の通信リンクを維持するための手段、
をさらに備えている請求項３１に記載の無線通信デバイス。
【請求項３３】
前記第１の通信システムタイプに応じて、非空間多重化のために、前記第１の無線リソースを再構成するための手段、
をさらに備えている請求項３１に記載の無線通信デバイス。
【請求項３４】
前記第１の通信システムタイプに応じて、空間多重化のために、前記第１の無線リソースと第３の無線リソースとを再構成するための手段、
をさらに備えている請求項３１に記載の無線通信デバイス。
【請求項３５】
前記第２の通信システムタイプにわたる通信リンクを終了するための手段と、
前記第１の通信システムタイプに応じて、空間多重化のために、前記第１の無線リソースと前記第２の無線リソースを再構成するための手段と、
をさらに備えている請求項３１に記載の無線通信デバイス。
【請求項３６】
前記第２の通信システムタイプにわたる通信リンクの終了を検出するための手段と、
前記第１の通信システムタイプに応じて、空間多重化のために、前記第１の無線リソースと前記第２の無線リソースを再構成するための手段と、
をさらに備えている請求項３１に記載の無線通信デバイス。
【発明の詳細な説明】
【技術分野】
【０００１】
本発明は、一般的に無線通信デバイスに関し、より具体的には、マルチプルインプット・マルチプルアウトプットの無線通信システム及び方法に関する。
【背景】
【０００２】
無線通信システムは、ボイス、データなどのような様々なタイプの通信コンテンツを提供するように広く展開されている。これらのシステムは、利用可能なシステムリソース（例、帯域幅及び伝送パワー）を共有することによって、複数のユーザとの通信をサポートすることができる多元接続システムであってもよい。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、及び直交周波数分割多元接続（ＯＦＤＭＡ）システムを含む。無線ネットワークシステムの他の例は、例えば無線ローカルエリアネットワーク（無線ＬＡＮあるいはＷＬＡＮ）のための８０２．１１のような、アメリカ電気電子通信学会（ＩＥＥＥ）によって公表された無線標準規格のうちの１つまたは複数を含む。
【０００３】
一般的に、無線多元接続通信システムは、マルチプル無線端末のための通信を同時にサポートすることができる。各端末は、順方向リンク及び逆方向リンク上の送信を介して1つまたは複数の基地局と通信する。順方向リンク(あるいはダウンリンク)は基地局から端末までの通信リンクを指し、逆方向リンク(あるいはアップリンク)は端末から基地局までの通信リンクを指す。
【０００４】
より広い展開(deployment)におけるマルチプル無線通信技術の出現により、１以上の無線通信システムへの接続を同時に確立する必要性がしばしば生じる。例えば、ラップトップコンピュータ、携帯情報端末（ＰＤＡ）、あるいはモバイル電話のようなデバイスは、インターネットに対するデータサービスを得るために、無線アクセスポイントのような第１デバイスに対する第１の無線接続を確立することを必要としてもよく、データ保存のためにモバイルストレージデバイスのような第２のデバイスに対する第２の無線接続を確立することを必要としてもよい。マルチプル無線接続を提供するための既存の取り組みは、一般的に、有効なデバイスエリア(significant device area)を不適当に使用し且つ高価である、各無線ネットワークタイプをサポートするために専用のハードウェアモジュールとソフトウェアモジュールを追加すること、あるいは、そうでなければ、同時にマルチプルネットワークタイプ間で単一のハードウェアモジュールを時分割するために(for time sharing)、複雑ソフトウェア変更及びまたはハードウェア変更を利用すること、を含む。後者の試みは、例えば、単一のハードウェアモジュールを時分割する性質に起因して、例えばあるサービスを提供することができない(inability to provide certain services)、性能低下(performance degradation)に悩まされる。
【０００５】
したがって、当技術分野において、同時マルチプル無線通信システムを効率的にサポートすることについて強い必要性がある。
【発明の概要】
【０００６】
無線通信デバイス及び方法は、無線通信デバイスにおいて複数の無線リソース(a plurality  of radio resources)を構成するために開示されている。例えば、複数の無線リソースは、第１の無線通信リソースと第２の無線通信リソースを含むことができる。例えば、第１の通信システムタイプは、無線ローカルエリアネットワークあるいは無線広域ネットワークであってもよく、また、第２の通信システムタイプは、無線パーソナルエリアネットワークであってもよい。別の例によると、第１の通信システムタイプは、第１の通信システムへのアクセスを制御している基地局あるいは第１のアクセスポイントであってもよく、第２の通信システムタイプは、アドホックネットワークであってもよい。
【０００７】
一態様によると、第１の無線リソースと第２の無線リソースは、第１の通信システムタイプに応じて、空間多重化のために構成される。第２の通信システムタイプにわたる通信のためにリクエストを受信するとき、第１の無線リソースと第２の無線リソースのうちの少なくとも一方は、第２の通信システムタイプにわたる通信のために再構成される。別の態様によると、第２の通信システムにわたる第２の通信を確立しながら、第１の通信システムにわたる第１の通信リンクは維持される。別の態様によると、非空間多重化のための、第１の無線リソースと第２の無線リソースのうちの他方は、第１の通信システムタイプに応じて、再構成される。
【０００８】
別の態様によると、第１の無線リソースと第２の無線リソースのうちの他方と、第３の無線リソースは、第１の通信システムタイプに応じて、空間多重化のために再構成される。
【０００９】
別の態様によると、第２の通信システムタイプにわたる通信は終了し、空間多重化のための、第１の無線通信リソースと第２の無線通信リソースは、第１の通信システムタイプに応じて、再構成される。
【００１０】
用語「例示的な(exemplary)」は、「例(example)、インスタンス(instance)、又は例証(illustration)として機能している」を意味するように、ここでは使用されている。「例示的な(exemplary)」としてここに説明されるいずれの実施形態も、他の実施形態よりも、好ましいまたは有利であるとして、必ずしも解釈されるべきではない。
【図面の簡単な説明】
【００１１】
【図１】図１は、一実施形態にしたがって構成され再構成されることができる、例示的な無線通信デバイスを図示するブロック図である。
【図２】図２は、一実施形態にしたがって無線通信デバイスをサポートすることができるシステム配置(system arrangement)を図示するブロック図である。
【図３】図３〜５は、様々な実施形態にしたがって無線通信デバイスの無線通信リソースを構成し再構成するための例示的な方法を図示するフローチャートである。
【図４】図３〜５は、様々な実施形態にしたがって無線通信デバイスの無線通信リソースを構成し再構成するための例示的な方法を図示するフローチャートである。
【図５】図３〜５は、様々な実施形態にしたがって無線通信デバイスの無線通信リソースを構成し再構成するための例示的な方法を図示するフローチャートである。
【図６】図６は、一実施形態にしたがって形成され再構成されることができる、例示的な無線通信デバイスを図示しているブロック図である。
【詳細な説明】
【００１２】
無線通信システムでは、通信リンクは、シングルインシングルアウト（ＳＩＳＯ）、マルチプルインシングルアウト（ＭＩＳＯ）、シングルインマルチプルアウト（ＳＩＭＯ）、あるいは、マルチプルインプットマルチプルアウトプット（ＭＩＭＯ）システムを介して確立されることができる。ＭＩＭＯシステムは、データ伝送のために、マルチプル（ＮＴ）送信アンテナと、マルチプル（ＮＲ）受信アンテナを利用する。ＮＴ送信アンテナとＮR受信アンテナによって形成されるＭＩＭＯチャネルは、空間チャネルとも呼ばれるＮｓ独立チャネルへと分解され、なお、Ｎｓ≦min{ＮＴ，ＮＲ}である。ＮＳ独立チャネルのそれぞれはある規模(dimension)に対応する。ある条件の下、例えば、チャネル環境では、ＭＩＭＯシステムは、マルチプル送信アンテナ及び受信アンテナによってさらなる規模(additional dimensionalities)が使用される場合には、改善された性能（例、より高いスループットおよび／またはより高い信頼性）を提供することができる。
【００１３】
既存のＭＩＭＯクライアントデバイスは、ＭＩＭＯアクセスポイントへの接続のような、ＭＩＭＯオペレーションのために構成されるとき、空間多重化のために設けられている、複数の無線リソース（例、無線フロントエンドハードウェア及びソフトウェア）を利用する。ＭＩＭＯオペレーションのために構成されないとき、例えば非ＭＩＭＯアクセスポイント（ＡＰ）に対して接続されるとき、既存のＭＩＭＯクライアントデバイスは、ＭＩＭＯ無線リソースのサブセット、一般的には利用可能な無線リソースのうちの１つのみを利用するが、残りのＭＩＭＯ無線リソースは、ＭＩＭＯオペレーションが適応するまで、アイドリングの状態を維持する。他の既存の解決法では、ＭＩＭＯオペレーションが適応しない場合、オペレーションの受信ダイバーシティモードが使用されることができる。
【００１４】
図１を参照すると、一実施形態にしたがった例示的な無線通信デバイス１１０の簡略ブロック図が示されている。無線通信デバイス１１０は、モバイルアクセス端末として図示され、そしてそれは、例えば、数ある中で、モバイル電話、ＰＤＡ、ラップトップコンピュータ、であってもよい。ある実施形態では、無線通信デバイス１１０はまた、例えばアクセスポイントまたは基地局のような固定デバイスであってもよい。アクセスポイントは、モバイルアクセス端末と通信するために使用される固定局であってもよく、また、アクセスポイント、基地局、ノードＢあるいは他のある用語と呼ばれる。無線通信デバイス１１０はまた、アクセス端末、ユーザ機器（ＵＥ）、無線通信デバイス、端末、アクセス端末あるいは他のある用語と呼ばれる。
【００１５】
デバイス１１０は、１つまたは複数のデータあるいは情報ストリームの送信のために、データソース１１２を受信するための送信（ＴＸ）データプロセッサ１１４を含む。ＴＸデータプロセッサ１１４は、符号化されたデータを提供するために、そのデータストリームについて選択された特定の符号化スキームに基づいて、各データストリームについてのトラフィックデータをフォーマット化し、符号化し、インタリーブする。ある実施形態では、各データストリームの符号化されたデータは、パイロットデータで多重化されることができる。パイロットデータは、一般的には既知の方法で処理される既知データパターンであり、チャネル応答を推定するために、受信機システムにおいて使用されることができる。各データストリームについての多重されたパイロット及び符号化データは、変調シンボルを提供するために、そのデータストリームについて選択された特定の変調スキーム（例、ＢＰＳＫ、ＱＳＰＫ、Ｍ−ＰＳＫ、あるいはＭ−ＱＡＭ）に基づいて、モジュレータ１２０によって変調される（すなわち、シンボルマッピングされる）。各データストリームについての、データレート、符号化、及び変調は、プロセッサ１３０によって実行される命令(instructions)によって決定されることができる。他の実施形態では、パイロットデータは、ＴＸデータプロセッサ１１４によって、データで多重化されない。
【００１６】
下記でさらに詳細で説明されるように、デバイス１１０は、空間多重化、例えばＭＩＭＯオペレーション、のために構成されるあるいは再構成されることができ、各データストリームは、それぞれのアンテナ１２４ａ〜１２４ｔ上で送信される。この構成モードでは、データストリームのための変調シンボル及び／または変調シンボルは、空間多重化のためにさらに処理されてもよく、あるいは、予め処理されてもよい。ＴＸ ＭＩＭＯプロセッサ１２０は、その後で、ＮＴ送信機（ＴＭＴＲ）１２２ａ〜１２２ｔに対して、ＮＴ変調シンボルストリームを提供する。ある実施形態では、ＴＸ ＭＩＭＯプロセッサ１２０は、データストリームのシンボルに対して、そして、シンボルが送信されているアンテナに対して、ビームフォーミング重み付けを適用する。
【００１７】
各送信機１２２は、１つまたは複数のアナログ信号を提供するためにそれぞれのシンボルストリームを受信し処理し、ＭＩＭＯチャネルにわたる送信に適した変調信号を提供するためにアナログ信号を条件づける（例、増幅し、フィルタにかけ、そして、アップコンバートする）。送信機１２２ａ〜１２２ｔからのＮＴ変調信号は、受信機（図示されず）による受信のために、それぞれ、ＮＴアンテナ１２４ａ〜１２４ｔから送信される。
【００１８】
下記にさらに詳細に説明されるように、デバイス１１０は、アンテナ１２４ａ〜１２４ｔのうちの少なくとも１つにわたる独立クライアント局オペレーションのために構成されるあるいは再構成されることができる。この構成では、空間多重化構成に適した、無線リソースのうちの少なくとも一方、すなわち、送信及び／または受信チェインとそれらの関連づけられた処理ブロックは、独立のシングルインプットシングルアウトプット（ＳＩＳＯ）オペレーションのために構成されるあるいは再構成される（あるいは、無線リソースが許可する場合には、より少ない無線リソースを用いたＭＩＭＯオペレーション）。残りの無線通信リソースは、ＳＩＳＯ、あるいは、無線リソースが許可する場合には、少ない無線リソースを用いたＭＩＭＯオペレーション、のいずれかについて、構成される、あるいは、再構成されることができる。
【００１９】
デバイス１１０はまた、その構成、例えばＭＩＭＯあるいはマルチプルＳＩＳＯ／ＭＩＭＯオペレーション、に応じて、アンテナ１２４ａ〜１２４ｔを介して、信号を受信する。送信された変調信号は、アンテナ１２４ａ〜１２４ｔによって受信され、各アンテナからの受信信号は、それぞれの受信機（ＲＣＶＲ）１２２ａ〜１２２ｔに提供される。各受信機は、それぞれの受信信号を条件づけ（例えば、フィルタにかけ、増幅し、ダウンコンバートし）、サンプルを提供するために条件づけられた信号をデジタル化し、対応する「受信された」シンボルストリームを提供するために、サンプルをさらに処理する。
【００２０】
デモジュレータ１４０は、「検出された(detected)」シンボルストリームを提供するために特定の受信機処理技術に基づいて、受信機１２２ａ〜１２２ｔから受信シンボルストリームを受信し処理する。デモジュレータ１４０（ＲＸデータプロセッサ１４２のヘルプを備えている）は、データストリームについてのトラフィックデータを回復するために、各検出されたシンボルストリームを、復調し、デインタリーブし、そして復号する。送信無線リソース同様に、受信無線リソースは、空間多重化オペレーションのために構成されることができ、独立ＳＩＳＯオペレーションのためのＭＩＭＯ無線リソースのうちの少なくとも一方を操作するようにさらに構成あるいは再構成されることができる。
【００２１】
図２を参照すると、無線通信デバイス２１０を含むシステム２００が示されており、それは一実施形態の図１のデバイス１１０に対応する。上記で説明されているように、デバイス２０は、ＭＩＭＯオペレーションのために構成されることができる複数の無線リソースを含み、無線リソースのうちの少なくとも一方は、ＳＩＳＯオペレーションのために構成あるいは再構成されることができる。システム２００は、ＭＩＭＯオペレーションあるいはＳＩＳＯオペレーションのための構成に適した複数の無線リソースを含んでいる第２の無線通信デバイス２５０をさらに含む。システム２００はまた、ＳＩＳＯオペレーションに適した無線通信リソースを有する第３の無線通信デバイス２６０を含む。一実施形態では、デバイス２１０とデバイス２５０は、無線ローカルエリアネットワーク（ＷＬＡＮ）のような第１の通信システムタイプに応じて、通信し、デバイス２５０は、例えばＷＬＡＮアクセスポイントであってもよい。ＷＬＡＮシステムは、説明の目的だけに使用される。他の実施形態では、第１の通信タイプは、無線広域ネットワーク（ＷＷＡＮ）あるいはＭＩＭＯオペレーションに適した他のネットワークであってもよい。
【００２２】
一実施形態では、デバイス２１０とデバイス２６０は、無線パーソナルエリアネットワーク（ＷＰＡＮ）のような第２の通信システムタイプに応じて通信し、デバイス２６０は、例えば高速チャネルを用いたＢｌｕｅｔｏｏｔｈ（登録商標）デバイスであってもよい。この場合の高速チャネルは、８０２．１１を使用して、インプリメントされる。システム２００におけるデバイス２１０の例示的なオペレーションは、図３−５のフローチャートと共に説明される。
【００２３】
図３のフローチャート３００は、ブロック３０２で始まる。ブロック３０４では、デバイス２１０は、第１の通信システムタイプにわたる通信のためにリクエストを受信する。例えば、デバイス２１０は、ＷＬＡＮ配置に応じて、ＷＬＡＮ ＡＰ２５０と通信するためにリクエストを受信することができる。上記で説明されるように、両方のデバイス２１０とデバイス２５０は、図２の例示的な実施形態においては、ＭＩＭＯオペレーションを利用して、空間多重化のために構成されることができる。
【００２４】
次のブロック３０６で、デバイス２１０のための第１の無線リソースと第２の無線リソースは、第１の通信システムタイプ、現在の例ではＷＬＡＮに応じて、空間多重化（ＭＩＭＯ）のために構成される。同様に、デバイス２５０のための第１の無線リソースと第２の無線リソースは、空間多重化のために構成される。一実施形態にしたがって、空間多重化のための、無線リソースを構成するための詳細は、図６と共にさらに詳細に下記で説明されている。
【００２５】
次のブロック３０８で、デバイス２１０は、第２の通信システムタイプにわたる通信のために、リクエストを受信する。例えば、デバイス２１０は、ＷＰＡＮ配置に応じて高速チャネルモードにおけるＢｌｕｅｔｏｏｔｈデバイス２６０と通信するリクエストを受信することができる。ブロック３１０で、デバイス２１０は、第２の通信システムタイプに応じて、非空間多重化オペレーション、すなわちＳＩＳＯオペレーションのための、第１の無線リソースと第２の無線リソースのうちの１つを再構成する。一つの実施形態にしたがって、ＳＩＳＯオペレーションのための無線通信リソースを構成するための詳細は、図６と共に、下記でさらに詳細に説明される。
【００２６】
第１の通信タイプに応じて構成された通信リンクは、ＳＩＳＯオペレーションに格下げすることができる。図３で示されているように、ＳＩＳＯオペレーションへの格下げ(downgrade)は、オプションブロック３１２において実行されることができ、デバイス２１０は、第１の通信タイプに応じて、非空間多重化（ＳＩＳＯ）オペレーションのための他の無線リソースを再構成する。例えば、デバイス２１０とデバイス２５０との間のＷＬＡＮ通信は、ＳＩＳＯのために再構成されることができる。デバイス２１０のいくつかの実施形態は、ステップ３１０の前に、あるいは、ステップ３１０と並行して、ステップ３１２を実行することを選ぶことができる。
【００２７】
フローチャート３００のオペレーションにしたがって、デバイス２１０は、デバイス２５０への同時接続を維持しながら、デバイス２６０との独立クライアント局接続を確立することができる。このように、デバイス２１０は、複数の同期化シンボルストリームを有しているＭＩＭＯモードにおける単一のクライアント局としてインプリメントされる第１の無線構成から、それぞれがＳＩＳＯモードにあり、それぞれの非同期化された独立シンボルストリームを有している２以上の独立クライアント局構成としてインプリメントされる第２の無線構成まで、その無線リソースを動的に再構成することができる。
【００２８】
図４のフローチャート４００は、別の実施形態にしたがって、デバイス２１０のオペレーションを図示する。フローチャート４００の処理ブロック４０２〜４１０は、図３に関連して上記で説明されるように、それぞれ、処理ブロック３０２〜３１０に一般的に対応する。さらに、ある実施形態では、デバイス２１０及び／またはデバイス２５０は、第１の無線通信リソースと第２の無線通信リソース以上に含むことができ、そのような場合には、それらの追加リソースはまた、ブロック４０６で、空間多重化（ＭＩＭＯ）オペレーションのための第１及び第２の無線通信リソースと共に構成されることができる。
【００２９】
フローチャート４００はまた、処理ブロック４１０の後で、フローチャート３００と異なる。ブロック４１３で、ＳＩＳＯのためにデバイス２５０を用いて通信リンクを再構成する代わりに、デバイス２１０は、デバイス２５０を用いて、第１の通信システムタイプに応じて、空間多重化オペレーションを維持するために、追加無線通信リソースを有することができる。例えば、ブロック４０６で、デバイス２１０は、デバイス２５０を用いて、空間多重化オペレーションのための、第１の無線リソース、第２の無線リソース、そして第３の無線リソースを構成し、ブロック４１０で、デバイス２６０を用いて、ＳＩＳＯオペレーションのための、第２の無線リソースを再構成した場合には、ブロック４１３で、デバイス２０は、デバイス２５０を用いて、ＭＩＭＯオペレーションのための、第１の無線リソースと一緒に第３の無線リソースを構成することができる。
【００３０】
フローチャート４００のオペレーションにしたがって、デバイス２１０は、デバイス２５０への同時接続を維持しながら、デバイス２６０との独立クライアント局接続を確立することができる。このように、デバイス２１０は、複数の同期シンボルストリームを有するＭＩＭＯモードにおける単一のクライアント局としてインプリメントされる第１の無線構成から、一方はＳＩＳＯモードにあり、他方はより低い順序のＭＩＭＯモードにある、２以上の独立のクライアント局接続としてインプリメントされる第２の無線構成まで、その無線リソースを動的に再構成することができる。ＭＩＭＯモードと関連づけられたシンボルストリームは、互いに、同期ストリームであるが、ＳＩＳＯモードと関連づけられたストリームについて独立している。フローチャート４００の他の実施形態では、デバイス２１０は、第１の接続についてはＳＩＳＯを使用し、第２の接続についてはＭＩＭＯを使用すること、あるいは、十分な無線リソースが利用可能である場合には両方にＭＩＭＯを使用することを選択する。
【００３１】
図５は、一実施形態にしたがった、図３の３１２あるいは図４の４１３の処理ブロックに続くデバイス２１０のオペレーションを図示するフローチャート５００である。デバイス２１０とデバイス２６０との間の通信の経過(course)の間に、それらの通信リンクは、自発的に、例えばコマンドによって、あるいは、非自発的に、例えば干渉、信号の損失等によって、終了されることができる。ブロック５１４では、デバイス２１０は、デバイス２１０とデバイス２６０との間の第２の通信システムタイプにわたる通信リンクの終了を始める。ブロック５１６では、デバイス２１０は、デバイス２１０とデバイス２６０との間の第２の通信システムタイプにわたる通信リンクの終了を検出する。ブロック５１４とブロック５１６は、ブロック５１８に続き、ここでは、第１の無線リソースと第２の無線リソースは、第１の通信システムタイプ、図２の例のＷＬＡＮに応じて、空間多重化（ＭＩＭＯ）のために再構成される。図４と共に上記で説明された実施形態では、第１の通信システムタイプは、少数の無線リソースを有するＭＩＭＯとして保持される。この場合、ブロック５１８は、第１の通信システムタイプに応じて、空間多重化（ＭＩＭＯ）のための、すべての利用可能なリソース、例えば、第１の無線リソース、第２の無線リソース、及び第３の無線リソース、を再構成することを含む。
【００３２】
図６を参照すると、例示的なデバイス６１０を図示するブロック図は、一実施形態にしたがって、図３−図５に関連して上記で説明されるような、無線通信デバイスの構成及び再構成のオペレーションを図示するように説明されている。デバイス６１０は、例えば８０２．１１ｎを含んでいる８０２．１１ＷＬＡＮタイプネットワーク上の、また、高速チャネルを確立するＢｌｕｅｔｏｏｔｈタイプネットワーク上の、通信に適した図２のデバイス２１０の一実施形態であってもよい。
【００３３】
図６で示されているように、デバイス６１０は、メディアアクセス制御（ＭＡＣ）モジュール６０２、ベースバンド処理モジュール６０４、ＲＦ処理モジュール６０６、アナログ処理モジュール６０８、及びアンテナ６１０及び６１２を含んでいる複数のアンテナを含む。図６の実施形態の例は、第１の無線リソースと第２の無線リソースを備えたデバイスを図示する。しかしながら、上記で説明されているように、他の実施形態は、さらなる無線リソースを含むことができる。
【００３４】
ＭＡＣモジュール６０２は、ホスト（図示されず）への接続のためのホストインタフェースコントローラ６１４を含む。ある実施形態では、ホストインタフェースコントローラ６１４は、同じあるいは異なるインタフェースタイプと関連づけられたマルチプルなエンドポイントを提供するために再構成されることができる。ホストインタフェースコントローラ６１４は、フレームストア６１６に接続され、そしてフレームストア６１６は、アプリケーションデータストリームと関連づけられたデータフレームを保存する。単一の接続を備えた第１の空間多重化（ＭＩＭＯ）構成では、第１のストリーム６０１と第２のストリーム６０３は、同期化されたストリームであり、フレームストア６１６は、第１のフレームフィルタ及びＢ−ＡＣＫ論理ユニット６１８に接続されており、第２のフレームフィルタ及びＢ−ＡＣＫ論理ユニット６２０は、アイドリング状態である（図６において点線で示されている）。２つのＳＩＳＯ接続を備えた第２の構成では、第１のストリーム６０１と第２のストリーム６０３は、独立で、非同期化されており、フレームストア６１６は、第１のストリーム６０１と関連づけられた情報を処理するための、第１のフレームフィルタ及びＢ−ＡＣＫ論理ユニット６１８に対して、そして、第２のストリーム６０３と関連づけられた情報を処理するための、第２のフレームフィルタ及びＢ−ＡＣＫ論理ユニット６２０に対して、両方に接続される。フレームストアは、暗号化ユニット６２２に対してさらに接続されており、例えば、それは、データプライバシーを提供するために、高度暗号化標準規格(Advanced Encryption Standard)（ＡＥＳ）にしたがっている。暗号化ユニット６２２は、キーストア６２４に暗号キーを保存する。フレームチェックシーケンス（ＦＣＳ）ユニット６２６は、チェックサムオペレーション(checksum operation)を提供するために暗号化ユニットに接続される。第１のＭＡＣブロック６２８と第２のＭＡＣブロック６３０はまた、ベースバンド処理モジュール６０４との通信のために提供され、それぞれは、それぞれのトラヒックフローを分類するためのエンハンスド分配チャネルアクセス(Enhanced Distributed Channel Access)（ＥＤＣＡ）ユニット、衝突回避のためのネットワーク割り付けベクトル(network allocation vector)(ＮＡＶ)ユニット、ネットワークタイマを保持するためのタイミング同期関数(timing synchronization function)（ＴＳＦ）、及びフレームスペーシングを提供するためのインタフレームスペース（ＩＦＳ）ユニット、を含む。第１の空間多重化（ＭＩＭＯ）構成では、第１及び第２のストリーム６０１及び６０３は、同期化されたストリームであり、第１のＭＡＣブロック６２８は、両方の第１及び第２のストリーム６０１及び６０３と関連づけられた情報を処理し、ＭＡＣブロック６３０は、アイドリング状態である（図６において点線で示されている）。第２の（ＳＩＳＯ）構成では、ＭＡＣブロック６２８は、ＭＡＣブロック６３０によって処理している、ストリーム６０３と関連づけられた情報から独立している第１のストリーム６０１と関連づけられた情報を処理する。第２の構成における２つのＳＩＳＯ接続が同じＰＨＹチャネル上にある場合、ＭＡＣブロック６３０における第２���ットのＥＤＣＡ、ＮＡＶ、及びＩＦＳ機能ユニットは必要とされておらず、アイドリング状態になる（あるいは、デバイス実施形態６１０が第２の構成において共有ＰＨＹチャネルに制約される場合には、全く含まれない）。キーストアユニット６２４は、第２の（ＳＩＳＯ）構成において、ストリーム６０１及び６０３のための別個のキーを保存するために使用される。ユニット６２２におけるＡＥＳエンジンは、第２（ＳＩＳＯ）構成では、独立データストリーム６０１及び６０３を暗号化し解読するために使用されており；このことは、２つのストリームのためのＡＥＳオペレーションを順番に並べることによって、あるいは並列エンジンによって、達成されることができる。同様に、ＦＣＳユニット６２６は、第２の（ＳＩＳＯ）構成では、独立のデータストリーム６０１及び６０３上でチェックサムオペレーションを実行するために使用されており；このことは、２つのストリームについてのＦＣＳオペレーションを順番に並べることによって、あるいは、並列エンジンによって、達成されることができる。一方で、第１の（ＭＩＭＯ）構成では、暗号化ユニット６２２及びＦＣＳユニット６２６は、単一のＭＩＭＯ接続のために、組み合わせられたデータストリームをサービス提供する。
【００３５】
スクランブラ／デスクランブラユニット６３２は、ＦＣＳユニット６２６に対して、そして、エンコーダ／デコーダユニット６３４に対して、接続される。第１の（ＭＩＭＯ）構成では、ユニット６３２は、単一のＭＩＭＯ接続のために、組み合わせられたデータストリームをスクランブルする／デスクランブルするために使用される。第２の構成（２つのＳＩＳＯ接続）では、ユニット６３２は、独立データストリーム６０１及び６０３をスクランブルする／デスクランブルするために使用されており；このことは、２つのストリームについてのオペレーションを順番に並べることによって、あるいは、並列エンジンによって、達成されることができる。この２重構成の原理は、エンコーダ／デコーダユニット６３４にも適用する。第１の（ＭＩＭＯ）構成では、ユニット６３４は、単一のＭＩＭＯ接続についての２つの同期化された空間ストリームについての符号化されたデータストリームを生成し、消費し、第２の構成では、ユニット６３４は、２つの独立ＳＩＳＯ接続についてのアシンクロナスデータストリームについて、符号化されたデータを生成し、消費する。信号の符号化及び復号に加えて、エンコーダ／デコーダユニット６３４はまた、前方誤り訂正(forward error correction)（ＦＥＣ）を提供することができる。ストリームマッピングユニット６３６は、第１の空間多重化（ＭＩＭＯ）構成では、エンコーダ／デコーダユニット６３４と、インタリーバ／デインタリーバユニット６３８及びインタリーバ／デインタリーバユニット６４０と、の間で接続される。ユニット６３６は、２つのＳＩＳＯ接続を備えた第２の構成では、アイドリング状態である（図６の点線を介してバイパスされる）。ＱＡＭマッパーユニット６４２は、インタリーバ／デインタリーバユニット６３８に対して接続され、ＱＡＭマッパーユニット６４４は、インタリーバ／デインタリーバユニット６４０に対して接続される。空間マッピングユニット６４６は、第１の空間多重化（ＭＩＭＯ）構成では、ＱＡＭマッパーユニット６４２及び６４４と、それぞれのＩＦＦＴ／ＦＦＴユニット６４８及び６５０と、の間で接続され、第２のＳＩＳＯ構成では、アイドリング状態である（図６の点線を介してバイパスされる）。ＩＦＦＴ／ＦＦＴユニット６４８は、ＤＡＣ／ＡＤＣユニット６５６に対して接続され、ＩＦＦＴ／ＦＦＴユニット６５０は、ＤＡＣ／ＡＤＣユニット６５８に対して接続される。ペアのユニット（６３８，６４０）、（６４２，６４４）、（６４８，６５０）、（６５６，６５８）は、第１の（ＭＩＭＯ）構成では、同期ペアの空間ストリーム上でそれぞれのオペレーションを実行し、それらは、第２の（ＳＩＳＯ）構成では、２つの独立ＳＩＳＯ接続についての２つのアシンクロナスシンボルストリーム上でそれぞれのオペレーションを実行する。第１及び第２ベースバンド処理ブロック６５２及び６５４はまた、ベースバンド処理モジュール６０４において提供されており、それぞれは、パケット検出機能、クリア・チャネル・アセスメント機能(Clear Channel Assessment function)及び自動利得制御（ＡＧＣ）機能を含む。第１の空間多重化（ＭＩＭＯ）構成では、第１及び第２のストリーム６０１及び６０３は、同期化された��トリームであり、第１のベースバンド処理ブロック６５２は、第１及び第２のストリーム６０１及び６０３と関連づけられた情報を処理し、ベースバンドブロック６５４は、アイドリング状態である（図６の点線で示されている）。第２の（ＳＩＳＯ）構成では、ベースバンド処理ブロック６５２は、ベースバンド処理ブロック６５４によって処理している、ストリーム６０３と関連づけられた情報から独立して第１のストリーム６０１と関連づけられた情報を処理する。ＭＩＭＯ構成における２つの空間ストリームに対して個別にＡＧＣを適用することを選択する実施形態はまた、その目的のために、ブロック６５４においてＡＧＣユニットを使用することができる。第２の構成では、２つのＳＩＳＯ接続が同じＰＨＹチャネル上にある場合には、ブロック６５４における、パケット検出及びＣＣＡユニットは必要とされておらず、アイドリング状態になる（あるいは、デバイス実施形態６１０が第２の構成において共有ＰＨＹチャネルに制約される場合には、まったく含まれない）。
【００３６】
ＲＦ処理モジュール６０６の送信／受信（ＴＸ／ＲＸ）ユニット６６０は、ＤＡＣ／ＡＤＣユニット６５６に対して、そして第１のローカルオシレータ（ＬＯ）６６２に対して、接続されており、ＴＸ／ＲＸユニット６６４は、ＤＡＣ／ＡＤＣユニット６５８に対して接続される。第１の構成における空間多重化（ＭＩＭＯ）オペレーションの間に、ＴＸ／ＲＸユニット６６４はまた、第１のＬＯ６６２に対して接続されており、第２のＬＯ６６８は、バイパスされる（例、アイドリング状態であり、図６の点線で示される）。しかしながら、第２の構成におけるＳＩＳＯオペレーションの間に、ＴＸ／ＲＸユニット６６４は、ストリーム６０３と関連づけられた情報を独立して処理するために、第１のＬＯ６６２の代わりに、第２のＬＯ６６８に対して接続される。第２の構成では、２つのＳＩＳＯ接続が同じＰＨＹチャネル上にある場合には、そのときには、第２のＬＯユニット６６８は、必要とされず、アイドリング状態になる（あるいは、デバイス実施形態６１０が第２の構成において共有ＰＨＹチャネルに制約される場合には、まったく含まれない）。
【００３７】
アナログ処理ユニット６０８の電力増幅器（ＰＡ）／低雑音アンプ（ＬＮＡ）ユニット６７０は、ＴＸ／ＲＸユニット６６０に、そして、アンテナ６１１を介した通信のためのフィルタ／スイッチユニット６７２に、接続される。同様に、ＰＡ／ＬＮＡユニット６７４は、ＴＸ／ＲＸユニット６６４に、そして、アンテナ６１２を介した通信のためのフィルタ／スイッチユニット６７６に、接続される。第２の構成では（２つの独立ＳＩＳＯ接続を備えている）、アナログユニットとＴＸ／ＲＸチェインのペアは、２つの異なるＰＨＹチャネル上で、場合によっては異なる周波数帯域において、作動してもよい。
【００３８】
第２の構成のある実施形態では、ＳＩＳＯ接続のためのリンクは、同じ物理チャネルあるいは異なる物理チャネルにわたって確立されることができる。例として、第２の構成における２つのＳＩＳＯ接続は、２．４ＧＨｚ帯域における異なるＰＨＪＹチャネル上であってもよい（例、チャネル１上のＡＰへの８０２．１１ｇ接続と、チャネル６上の高速Ｂｌｕｅｔｏｏｔｈ８０２．１１ｇ）。別の例として、第１のＳＩＳＯ接続は、２．４ＧＨｚ帯域におけるチャネル上のＡＰへの８０２．１１ｇの接続であってもよく、また、第２のＳＩＳＯ接続は、５ＧＨｚ帯域における高速Ｂｌｕｅｔｏｏｔｈ８０２．１１ａ接続であってもよい。
【００３９】
コントローラは、シングルクライアント局ＭＩＭＯオペレーション構成と、個別の独立クライアント局ＳＩＳＯ構成との間で切り換え、サポートするために、デバイス６１０の構成及び再構成を制御するようにインプリメントされることができる。いずれの構成においても、デバイス６１０は、クライアントＳＴＡとして、あるいはＡＰとして、あるいは両方として、動作することができる。上記の説明は例示的な実施形態を説明するために提供されているが、処理ブロックの具体的な順序、すなわち無線リソースは、設計事項にしたがって、上記説明され、図６で示されているものから修正されることができる。図６では、第１（ＭＩＭＯ）構成をサポートすることができるデバイスにおいて一般的に提示されている、機能ユニットの大部分は、動的に構成可能であるように、そして、第２の構成をサポートするように、修正される。第２の構成をサポートするために追加されたインクリメント機能ユニット(incremental functional units)は、比較的少ない。このことは、第１の構成をサポートするために全てのコストを必ずしも重複することなく、第２の構成がサポートされることを可能にする。さらに、他の実施形態では、少数の及び／または追加の無線リソースが、特定の通信システムタイプをサポートするように提供されることができる。
【００４０】
当業者は、情報及び信号は、様々な異なる技術及び技巧のうちのいずれかを使用して表されることができるということを理解するであろう。例えば、上記の説明の全体にわたって参照されることができる、データ、命令、コマンド、情報、信号、ビット、シンボル、及びチップは、電圧、電流、電磁波、磁場あるいは磁粒子、光場あるいは光学粒子、あるいはそれらのいずれの組み合わせ、によって表わされることができる。
【００４１】
当業者は、ここにおいて開示された実施形態と関連して説明される、様々な説明のための論理ブロック、モジュール、回路、及び、アルゴリズムステップは、電子ハードウェア、コンピュータソフトウェア、あるいは、両方の組み合わせ、としてインプリメントされることができる。ハードウェアとソフトウェアのこの互換性を明瞭に説明するために、様々な説明のためのコンポーネント、ブロック、モジュール、回路及びステップが、一般に、それらの機能性という観点から、上記に説明されてきた。そのような機能が、ハードウェアあるいはソフトウェアとしてインプリメントされるかどうかは、特定のアプリケーションと全体のシステムに課された設計制約(design constraints)によって決まる。熟練職人は、各特定のアプリケーションについての様々な方法で、説明された機能をインプリメントすることができるが、そのようなインプリメンテーションの決定は、本発明の範囲からの逸脱を生じさせるものとして解釈されるべきでない。
【００４２】
ここに開示された実施形態に関連して説明された様々な説明のための論理ブロック、モジュール及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）あるいは他のプログラマブル論理デバイス、ディスクリートゲートあるいはトランジスタロジック、ディスクリートハードウェアコンポーネント、あるいはここに説明された機能を実行するように設計されたそれらの任意の組み合わせで、インプリメントあるいは実行されることができる。汎用プロセッサは、マイクロプロセッサであってもよいが、代替として、プロセッサは、いずれの従来のプロセッサ、コントローラ、マイクロコントローラ、あるいはステートマシン(state machine)であってもよい。プロセッサはまた、コンピューティングデバイス(computing devices)の組み合わせ、例えば、ＤＳＰとマイクロプロセッサとの組み合わせ、複数のマイクロプロセッサ、ＤＳＰコアと併用しての1以上のマイクロプロセッサ、あるいはいずれの他のそのような構成のもの、としてインプリメントされることができる。
【００４３】
ここに開示された実施形態に関連して説明された方法あるいはアルゴリズムのステップは、直接ハードウェアにおいて、プロセッサによって実行されたソフトウェアモジュールにおいて、あるいはこれら２つの組み合わせにおいて、具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当技術分野において知られているストレージ媒体の任意の他の形態、において常駐する(reside)ことができる。例示的なストレージ媒体は、プロセッサがストレージ媒体から情報を読み取ることができ、またストレージ媒体に情報を書き込むことができるように、プロセッサに結合される。あるいは、ストレージ媒体は、プロセッサと一体化していてもよい。プロセッサとストレージ媒体は、ＡＳＩＣにおいて常駐していてもよい。ＡＳＩＣは、ユーザ端末に常駐していてもよい。あるいは、プロセッサとストレージ媒体は、ユーザ端末におけるディスクリートコンポーネントとして常駐していてもよい。
【００４４】
１つまたは複数の例示的な実施形態において、説明された機能は、ハードウェア、ソフトウェア、及び／または、ファームウェア、あるいは、それらのいずれの組み合わせ、においてインプリメントされることができる。ソフトウェアでインプリメントされる場合には、機能は、コンピュータ可読媒体上で、１つまたは複数の命令あるいはコードとして、保存されあるいは送信されることができる。コンピュータ可読媒体(Computer-readable media)は、コンピュータストレージ媒体(computer storage media)と、１つの場所から別の場所へとコンピュータプログラムの転送を容易にするいずれの媒体をも含む通信媒体と、両方を含んでいる。ストレージ媒体は、コンピュータによってアクセスされることができる、いずれの利用可能な媒体であることができる。例として、また限定されないが、そのようなコンピュータ可読メディアは、ＲＡＭ、ＲＯＭ、ＥＥＰＲＯＭ、ＣＤ−ＲＯＭあるいは他の電子ストレージ、光学ディスクストレージ(optical disk storage)、磁気ディスクストレージ(magnetic disk storage)あるいは他の磁気ストレージデバイス(magnetic storage devices)、あるいは、命令あるいはデータ構造の形態において望ましいプログラムコードを搬送あるいは保存するように使用されることができる、また、コンピュータによってアクセスされることができる、いずれの他の媒体も備えることができる。また、いずれの接続(connection)もコンピュータ可読メディア(computer-readable medium)と適切に名付けられる。例えば、ソフトウェアがウェブサイト、サーバ、あるいは、同軸ケーブル、光ファイバーケーブル、ツイストペア(twisted pair)、デジタル加入者ライン(digital subscriber line)（ＤＳＬ）、あるいは赤外線、無線、及びマイクロ波のような無線技術を使用している他の遠隔ソース、から送信される場合には、媒体(medium)の定義に含まれる。ここに使用されているように、ディスク(disk)とディスク(disc)は、コンパクトディスク(compact disc)（ＣＤ）、レーザーディスク（登録商標）(laser disc)、光学ディスク(optical disc)、デジタル汎用ディスク(digital versatile disc)（ＤＶＤ）、フロッピー（登録商標）ディスク(disk)、高解像度ＤＶＤ（ＨＤ−ＤＶＤ）、及びブルーレイディスク(blue-ray disc)を含んでおり、「ディスク(disks)」は、大抵、データを磁気で再生しているが、「ディスク(discs)」は、レーザーで光学的に再生する。上記の組み合わせはまた、コンピュータ可読媒体の範囲内に含まれるべきである。
【００４５】
開示された実施形態の以上の説明は、いずれの当業者も本発明を作る、あるいは使用することを可能とするように提供される。これらの実施形態に対する様々な修正は、当業者にとって容易に明らかであろう、そして、ここにおいて定義された包括的な原理は、本発明の精神と範囲から逸脱することなく、他の実施形態に適用されることができる。したがって、本発明は、ここに示された実施形態に限定されるようには意図されてはおらず、ここに開示された原則と新規な特徴に整合する最も広い範囲が与えられるべきである。
なお、以下に、出願当初の特許請求の範囲に記載された発明を付記する。
［Ｃ１］
第１の無線リソースと第２の無線リソースを含んでいる無線通信デバイスにおいて複数の無線リソースを構成するための方法であって、前記方法は、
第１の通信システムタイプに応じて、空間多重化のための、前記第１の無線リソースと前記第２の無線リソースを構成することと、
第２の通信システムタイプにわたる通信のために、リクエストを受信することと、
前記第２の通信システムタイプにわたる通信のために、前記第１の無線リソースと前記第２の無線リソースのうちの少なくとも一方を再構成することと、
を備えている、
方法。
［Ｃ２］
前記第２の通信システムにわたる第２の通信リンクを確立しながら、前記第１の通信システムにわたる第１の通信リンクを維持すること、
をさらに備えているＣ１に記載の方法。
［Ｃ３］
前記第１の通信システムタイプに応じて、非空間多重化のための、前記第１の無線リソースと前記第２の無線リソースのうちの他方を再構成すること、をさらに備えているＣ１に記載の方法。
［Ｃ４］
前記第１の通信システムタイプに応じて、空間多重化のための、前記第１の無線リソースと前記第２の無線リソースのうちの他方と、第３の無線リソースと、を再構成すること、をさらに備えている、Ｃ１に記載の方法。
［Ｃ５］
前記第２の通信システムタイプにわたって通信リンクを終了することと、
前記第１の通信システムタイプに応じて、空間多重化のための、前記第１の無線リソースと前記第２の無線リソースを再構成することと、
をさらに備えているＣ１に記載の方法。
［Ｃ６］
前記第２の通信システムタイプにわたって通信リンクの終了を検出することと、
前記第１の通信システムタイプに応じて、空間多重化のための、前記第１の無線リソースと前記第２の無線リソースを再構成することと、
をさらに備えているＣ１に記載の方法。
［Ｃ７］
前記第１の通信システムタイプは、無線ローカルエリアネットワークであり、前記第２の通信システムタイプは、無線パーソナルエリアネットワークである、Ｃ１に記載の方法。
［Ｃ８］
前記第１の通信システムタイプは、無線広域ネットワークであり、前記第２の通信システムタイプは、無線パーソナルエリアネットワークである、Ｃ１に記載の方法。
［Ｃ９］
前記第１の通信システムタイプは、前記第１の通信システムへのアクセスを制御する第１のアクセスポイントを含んでおり、前記第２の通信システムタイプは、アドホックネットワークである、Ｃ１に記載の方法。
［Ｃ１０］
前記第１の通信システムタイプと前記第２の通信システムタイプは、同じ物理チャネルを使用する、Ｃ１に記載の方法。
［Ｃ１１］
前記第１の通信システムタイプと前記第２の通信システムタイプは、異なる物理チャネルを使用する、Ｃ１に記載の方法。
［Ｃ１２］
前記無線リソースは、アンテナ、ＰＡ、ＬＮＡ、フィルタ、スイッチ、ＲＦチェイン、ＡＤＣ、ＤＡＣ、ＦＦＴ／ＩＦＦＴ、ＱＡＭマッパー、インタリーバ／デインタリーバ、エンコーダ／デコーダ、スクランブラ／デスクランブラ、ＦＣＳエンジン、暗号化エンジン及びキーストア、パケットメモリストレージ、及びホストインタフェース、のうちの少なくとも１つである、Ｃ１に記載の方法。
［Ｃ１３］
無線通信デバイスであって、
コントローラと；
第１の無線リソースと第２の無線リソースを含んでいる複数の無線リソースと、なお、前記第１の無線リソースと前記第２の無線リソースのそれぞれは、前記コントローラに接続されている；
を備え、
前記コントローラは、
第１の通信システムタイプに応じて、空間多重化のための、前記第１の無線リソースと前記第２の無線リソースを構成するように、
第２の通信システムタイプにわたる通信のために、リクエストを受信するように、
前記第２の通信システムタイプにわたる通信のために、前記第１の無線リソースと前記第２の無線リソースのうちの少なくとも一方を再構成するように、
構成されている、
無線通信デバイス。
［Ｃ１４］
前記コントローラは、
前記第２の通信システムにわたる第２の通信リンクを確立しながら、前記第１の通信システムにわたる第１の通信リンクを維持するように、
さらに構成されている、Ｃ１３に記載のデバイス。
［Ｃ１５］
前記コントローラは、前記第１の通信システムタイプに応じて、非空間多重化のための、前記第１の無線リソースと前記第２の無線リソースのうちの他方を再構成するように、さらに構成されている、Ｃ１３に記載のデバイス。
［Ｃ１６］
前記コントローラは、前記第１の通信システムタイプに応じて、空間多重化のための、前記第１の無線リソースと前記第２の無線リソースのうちの他方と、第３の無線リソースと、を再構成するように、さらに構成されている、Ｃ１３に記載のデバイス。
［Ｃ１７］
前記コントローラは、
前記第２の通信システムタイプにわたって通信リンクを終了するように、
前記第１の通信システムタイプに応じて、空間多重化のための、前記第１の無線リソースと前記第２の無線リソースを再構成するように、
さらに構成されている、Ｃ１３に記載のデバイス。
［Ｃ１８］
前記コントローラは、
前記第２の通信システムタイプにわたって通信リンクの終了を検出するように、
前記第１の通信システムタイプに応じて、空間多重化のための、前記第１の無線リソースと前記第２の無線リソースを再構成するように、
さらに構成されている、Ｃ１３に記載のデバイス。
［Ｃ１９］
前記第１の通信システムタイプは、無線ローカルエリアネットワークであり、前記第２の通信システムタイプは、無線パーソナルエリアネットワークである、Ｃ１３に記載のデバイス。
［Ｃ２０］
前記第１の通信システムタイプは、無線広域ネットワークであり、前記第２の通信システムタイプは、無線パーソナルエリアネットワークである、Ｃ１３に記載のデバイス。
［Ｃ２１］
前記第１の通信システムタイプは、前記第１の通信システムへのアクセスを制御している第１のアクセスポイントを含み、前記第２の通信システムタイプは、アドホックネットワークである、Ｃ１３に記載のデバイス。
［Ｃ２２］
前記第１の通信システムタイプと前記第２の通信システムタイプは、同じ物理チャネルを使用する、Ｃ１３に記載のデバイス。
［Ｃ２３］
前記第１の通信システムタイプと前記第２の通信システムタイプは、異なる物理チャネルを使用する、Ｃ１３に記載のデバイス。
［Ｃ２４］
前記無線リソースは、アンテナ、ＰＡ、ＬＮＡ、フィルタ、スイッチ、ＲＦチェイン、ＡＤＣ、ＤＡＣ、ＦＦＴ／ＩＦＦＴ、ＱＡＭマッパー、インタリーバ／デインタリーバ、エンコーダ／デコーダ、スクランブラ／デスクランブラ、ＦＣＳエンジン、暗号化エンジン及びキーストア、パケットメモリストレージ、及びホストインタフェース、のうちの少なくとも１つである、Ｃ１３に記載のデバイス。
［Ｃ２５］
第１の無線リソースと第２の無線リソースを含んでいる無線通信デバイスにおいて複数の無線リソースを構成するためのコンピュータプログラムプロダクトであって、
コンピュータ可読媒体を備えており、前記コンピュータ可読媒体は、
コンピュータに、第１の通信システムタイプに応じて、空間多重化のための、前記第１の無線リソースと前記第２の無線リソースを構成させるためのコードと、
前記コンピュータに、第２の通信システムタイプにわたる通信のために、リクエストを受信させるためのコードと、
前記コンピュータに、前記第２の通信システムタイプにわたる通信のために、前記第１の無線リソースと前記第２の無線リソースのうちの少なくとも一方を再構成させるためのコードと、
を保存する、
コンピュータプログラムプロダクト。
［Ｃ２６］
前記コンピュータ可読媒体は、
前記コンピュータに、第２の通信システムにわたる第２の通信リンクを確立しながら、前記第１の通信システムにわたる第１の通信リンクを維持させるためのコード、
をさらに保存する、
Ｃ２５に記載のコンピュータプログラムプロダクト。
［Ｃ２７］
前記コンピュータ可読媒体は、
前記コンピュータに、前記第１の通信システムタイプに応じて、非空間多重化のための、前記第１の無線リソースと前記第２の無線リソースのうちの他方を再構成させるためのコード、
をさらに保存する、
Ｃ２５に記載のコンピュータプログラムプロダクト。
［Ｃ２８］
前記コンピュータ可読媒体は、
前記コンピュータに、前記第１の通信システムタイプに応じて、空間多重化のための、前記第１の無線リソースと前記第２の無線リソースのうちの他方と、第３の無線リソースと、を再構成させるためのコード、
をさらに保存する、
Ｃ２５に記載のコンピュータプログラムプロダクト。
［Ｃ２９］
前記コンピュータ可読媒体は、
前記コンピュータに、前記第２の通信システムタイプにわたって通信リンクを終了させるためのコードと、
前記コンピュータに、前記第１の通信システムタイプに応じて、空間多重化のための、前記第１の無線リソースと前記第２の無線リソースを再構成させるためのコードと、
をさらに保存する、
Ｃ２５に記載のコンピュータプログラムプロダクト。
［Ｃ３０］
前記コンピュータ可読媒体は、
前記コンピュータに、前記第２の通信システムタイプにわたって通信リンクの終了を検出させるためのコードと、
前記コンピュータに、前記第１の通信システムタイプに応じて、空間多重化のための、前記第１の無線リソースと前記第２の無線リソースを再構成させるためのコードと、
をさらに保存する、
Ｃ２５に記載のコンピュータプログラムプロダクト。
［Ｃ３１］
コントローラと；
第１の無線リソースと第２の無線リソースを含んでいる複数の無線リソースと、なお、前記第１の無線リソースと前記第２の無線リソースのそれぞれは、前記コントローラに接続されている；
第１の通信システムタイプに応じて、空間多重化のための、前記第１の無線リソースと前記第２の無線リソースを構成するための手段と；
第２の通信システムタイプにわたる通信のために、リクエストを受信するための手段と；
前記第２の通信システムタイプにわたる通信のために、前記第１の無線リソースと前記第２の無線リソースのうちの少なくとも一方を再構成するための手段と；
を備えている無線通信デバイス。
［Ｃ３２］
前記第２の通信システムにわたる第２の通信リンクを確立しながら、第１の通信リンクにわたる第１の通信リンクを維持するための手段、
をさらに備えているＣ３１に記載の無線通信デバイス。
［Ｃ３３］
前記第１の通信システムタイプに応じて、非空間多重化のための、前記第１の無線リソースと前記第２の無線リソースのうちの他方を再構成するための手段、をさらに備えているＣ３１に記載の無線通信デバイス。
［Ｃ３４］
前記第１の通信システムタイプに応じて、空間多重化のための、前記第１の無線リソースと前記第２の無線リソースのうちの他方と、第３の無線リソースと、を再構成するための手段、をさらに備えているＣ３１に記載の無線通信デバイス。
［Ｃ３５］
前記第２の通信システムタイプにわたって通信リンクを終了するための手段と、
前記第１の通信システムタイプに応じて、空間多重化のための、前記第１の無線リソースと前記第２の無線リソースを再構成するための手段と、
をさらに備えているＣ３１に記載の無線通信デバイス。
［Ｃ３６］
前記第２の通信タイプにわたって通信リンクの終了を検出するための手段と、
前記第１の通信システムタイプに応じて、空間多重化のための、前記第１の無線リソースと前記第２の無線リソースを再構成するための手段と、
をさらに備えているＣ３１に記載の無線通信デバイス。
【図１】
0005571063.tif 000002
【図２】
0005571063.tif 000003
【図３】
0005571063.tif 000004
【図４】
0005571063.tif 000005
【図５】
0005571063.tif 000006
【図６】
0005571063.tif 000007